(57)【要約】【課題】セキュリティを向上し、しかも、プロバイダとの接続時間を極力短くしてネット攻撃による危険性を回避する。【解決手段】携帯電話機９から公衆電話網７を経由して制御装置２に電話があると、制御装置は、掛かってきた電話番号が登録されたものかを判別手段にて判別する。登録されている場合は着信を受け付け、登録されていなければ着信を受け付けない。着信を受け付けると要求受付け手段が携帯電話機からのコマンドを受け付け、このコマンドによってセンサ装置３，４からのセンサデータ、撮像装置５や内蔵カメラ２２からの画像データを取得し、電子メール作成手段が電子メールを作成する。そして、登録されているプロバイダへダイヤルアップ接続し、作成した電子メールを送信する。送信が終了するとダイヤルアップ接続を切断する。プロバイダは受信した電子メールを、コマンドを送信した携帯電話機に送信する。ユーザは携帯電話機によりセンサデータや画像データを確認する。【選択図】  図１
2004193647.tif 000002
【特許請求の範囲】
【請求項１】
ネットワークを経由して電話機能付き端末と通信する制御装置と、この制御装置に接続し周囲環境を検出する検出装置とからなり、
前記制御装置は、通信可能な相手の電話番号とアドレス及びプロバイダの接続情報を登録した設定部と、前記設定部に登録された電話番号の電話機能付き端末から周囲環境の検出要求を受け付ける要求受付け手段と、この要求受付け手段が受け付けた要求に従って前記検出装置からデータを取得して電子メールを作成するメール作成手段と、前記設定部に登録されているプロバイダの接続情報に基づいてダイヤルアップ接続し、前記メール作成手段が作成した電子メールを設定部に設定されたアドレス宛てに送信し、送信終了後にダイヤルアップ接続を切断する手段とを具備したことを特徴とするダイヤルアップホームサーバ。
【請求項２】
制御装置は、設定部に、電子メール・電話機能付き携帯端末の電話番号とアドレスを登録し、前記設定部に登録された前記電子メール・電話機能付き携帯端末からの周囲環境の検出要求を受け付け、受け付けた要求に従って検出装置からデータを取得して作成した電子メールを前記電子メール・電話機能付き携帯端末のアドレス宛てに送信することを特徴とする請求項１記載のダイヤルアップホームサーバ。
【請求項３】
ネットワークを経由して電話機能付き端末と通信する制御装置と、この制御装置に接続し周囲環境を検出する検出装置とからなり、
前記制御装置は、通信可能な相手の電話番号とアドレス及びプロバイダの接続情報を登録した設定部と、前記設定部に登録された電話番号の電話機能付き端末から周囲環境の検出要求を受け付ける要求受付け手段と、この要求受付け手段が受け付けた要求に従って前記検出装置からデータを取得してｈｔｍｌ形式で作成するデータ作成手段と、前記設定部に登録されているプロバイダの接続情報に基づいてダイヤルアップ接続し、該当するプロバイダのホームページ領域に前記データ作成手段が作成したｈｔｍｌ形式のデータをアップロードするとともに、このアップロードしたデータが存在するＵＲＬアドレスを、設定部に設定されたアドレス宛てに送信し、送信終了後にダイヤルアップ接続を切断する手段とを具備したことを特徴とするダイヤルアップホームサーバ。
【請求項４】
制御装置の設定部に対する通信可能な相手の電話番号の登録及びダイヤルアップ接続するプロバイダの接続情報の登録を外部端末から自動的に行うことを特徴とする請求項１乃至３のいずれか１記載のダイヤルアップホームサーバ。
【発明の詳細な説明】
【０００１】
【発明の属する技術分野】
本発明は、外部からの電話によって室内周囲環境を検出したデータや室内周囲画像を撮像したデータを予め登録したプロバイダを経由して供給することができるダイヤルアップホームサーバに関する。
【０００２】
【従来の技術】
通信ネットワークを介して遠隔制御されるカメラ装置と、このカメラ装置の撮影した画像を、通信ネットワークを介して視認する端末装置とを有し、カメラ装置は外部から電話が掛けられて所定回数の呼出し音が鳴ると撮影を行って画像データをメモリに記憶し、この記憶した画像データを電子メールに添付するとともに、端末装置を管理するユーザが接続契約をしたインターネットサービスプロバイダのアクセスポイントにダイヤルアップし、通信ネットワークを介してそのプロバイダの画像処理サーバに送信し、画像処理サーバは画像データを受信したことを、通信ネットワークを介してＵＲＬを付与した電子メールで端末装置に通知し、端末装置は電子メールに記載された画像データ取得情報に従って画像処理サーバにＵＲＬによりログインし、画像データを取得するものが知られている（例えば、特許文献１参照）。
【０００３】
【特許文献１】
特開２００２−１９９３８６号公報（段落「０００５」、「０００９」〜「００１３」）
【０００４】
【発明が解決しようとする課題】
しかしながら、この公報のようにホームサーバを兼ねるカメラ装置が外部からの電話の呼出し音の回数により撮影動作を開始するのでは、どのような電話から掛かってきても呼出し音が所定回数鳴ればカメラ装置が反応して画像を取得し、契約プロバイダにダイヤルアップ接続し、画像データを添付した電子メールをプロバイダの画像処理サーバに送信することになる。そして、画像処理サーバは画像データを受信したことを、通信ネットワークを介してＵＲＬを付与した電子メールで端末装置に通知することになる。
【０００５】
このように呼出し音の回数が合えばどのような電話からも、画像取得、プロバイダへのダイヤルアップ、プロバイダの所定領域への画像の貼り付け、そしてそのＵＲＬを電子メールで知らせることの一連の動作を行わせることが可能になる。このため、全く関係の無い第三者がこの一連の動作を行わせることも可能になる。そして、第三者がＵＲＬを手に入れてプロバイダの画像処理サーバにログインすることで画像データを取得できるようになる。すなわち、他人が家の中の様子を見ることが可能になり、セキュリティ上問題があった。
本発明は、セキュリティを向上でき、しかも、プロバイダとの接続時間を極力短くしてネット攻撃による危険性を極力回避できるダイヤルアップホームサーバを提供する。
【０００６】
【課題を解決するための手段】
本発明は、例えば電話回線などのネットワークを経由して携帯電話機などの電話機能付き端末と通信する制御装置と、この制御装置に接続し、例えばドアの開閉状態、煙やガスの状態など周囲環境を検出する検出装置とからなり、制御装置は、通信可能な相手の電話番号とアドレス及びプロバイダの接続情報を登録した設定部と、設定部に登録された電話番号の電話機能付き端末から周囲環境の検出要求を受け付ける要求受付け手段と、この要求受付け手段が受け付けた要求に従って検出装置からデータを取得して電子メールを作成するメール作成手段と、設定部に登録されているプロバイダの接続情報に基づいてダイヤルアップ接続し、メール作成手段が作成した電子メールを設定部に設定されたアドレス宛てに送信し、送信終了後にダイヤルアップ接続を切断する手段とを具備したものである。
【０００７】
【発明の実施の形態】
以下、本発明の実施の形態を、図面を参照して説明する。
図１はダイヤルアップホームサーバを使用したシステム全体の構成を示す図で、ダイヤルアップホームサーバ１は、制御装置２と、この制御装置２に接続した２つのセンサ装置３、４と、この制御装置２に接続した撮像装置５とで構成されている。また、前記制御装置２にはファクシミリ機能、留守番電話機能付きの電話機６も接続されている。
【０００８】
なお、撮像装置５は、例えば、子供部屋を監視できるようになっている。また、センサ装置３は、例えばガスセンサで室内のガス漏れを検知するようになっている。また、センサ装置４は、例えばドアセンサで玄関のドアの開閉を検知するようになっている。なお、撮像装置５の監視場所やセンサ装置３、４の種類はこれに限定されるものでないのは勿論である。
【０００９】
前記制御装置２は、ネットワークとしての公衆電話網７に接続し、この公衆電話網７を経由して契約しているプロバイダ８のサーバとも接続している。そして、公衆電話網７やプロバイダ８を経由して、予め電話番号が登録してある電話機能付き端末、例えば電子メール機能付きの携帯電話機９と通信ができるようになっている。
【００１０】
前記制御装置２は、図２に示すように、制御部２１を設け、この制御部２１に、内蔵カメラ２２、前記撮像装置５に接続したカメラインターフェース２３、前記センサ３に接続したセンサインターフェース２４、前記センサ４に接続したセンサインターフェース２５、公衆電話網７に接続したＬｉｎｅ  ＩＮ端子２６及び前記電話機６を接続したＬｉｎｅ  ＯＵＴ端子２７をそれぞれ接続している。また、外部のＡＣ１００Ｖに接続した電源装置２８を設け、この電源装置２８に前記制御部２１を接続している。なお、前記制御装置２は、例えば、居間に設置され、前記内蔵カメラ２２で居間の様子を撮影するようになっている。
【００１１】
前記制御部２１は、ＣＰＵ、ＲＯＭ、ＲＡＭ等のハードウエア３１、メモリ３２を設けている。前記メモリ３２は、画像データ格納メモリ３２１、センサデータ格納メモリ３２２、設定データ格納メモリ３２３を設けている。前記設定データ格納メモリ３２３には、着信を許可する複数の電話番号やダイヤルアップ接続するプロバイダの接続情報や電子メールの送信先である電子メール機能付き端末、例えば電子メール機能付きの携帯電話のアドレスが登録されている。
【００１２】
前記メモリ３２は、また、発信者番号検出機能を実行するプログラム３２４、ＤＴＭＦ解読機能を実行するプログラム３２５、音声認識機能を実行するプログラム３２６、音声応答機能を実行するプログラム３２７、電子音応答機能を実行するプログラム３２８、コマンド解読機能を実行するプログラム３２９、ダイヤルアップ接続機能を実行するプログラム３３０、画像メール送信機能を実行するプログラム３３１、ｈｔｍｌ文書作成機能を実行するプログラム３３２、リモート設定機能を実行するプログラム３３３を記憶している。
【００１３】
前記制御部２１は、前記携帯電話機９から公衆電話網７を経由して電話がかかってくると、図３に示す動作を行い、このとき前記携帯電話機９においては図４及び図５に示す動作を行うようになっている。
【００１４】
すなわち、制御部２１は、図３に示すように、Ｓ１にて、携帯電話機９からの着信を確認すると、Ｓ２にて、発信者番号検出機能を実行するプログラム３２４により着信のあった電話番号が前記設定データ格納メモリ３２３の登録されている電話番号と一致するか否かを判別する。登録されている電話番号と一致しなければ何もせずにそのまま放置し、別途接続されている電話機６に処理を任せる。
【００１５】
また、登録されている電話番号との一致を判別すると、Ｓ３にて、電話を受けて相手と通話状態にし、Ｓ４にて、コマンド待ち状態であることを携帯電話機９に通知する。続いて、Ｓ５にて、携帯電話機９にコマンドの実行方法を説明する。これは、携帯電話機９のダイヤルボタンを操作してＤＴＭＦ（トーン信号）でコマンドを送信すること、その場合に例えば、「１」と「＃」の組み合わせで、居間の写真を要求するコマンドを送信できること、「２」と「＃」の組み合わせで、子供部屋の写真を要求するコマンドを送信できること、「３」と「＃」の組み合わせで、ガスセンサのデータを要求するコマンドを送信できること、「４」と「＃」の組み合わせで、ドアセンサのデータを要求するコマンドを送信できること、「５」と「＃」の組み合わせで、全てを要求するコマンドを送信できることを通知する。
【００１６】
そして、Ｓ６にて、電子音応答機能を実行するプログラム３２８によって携帯電話機９からのＤＴＭＦによるコマンドの入力を確認すると、Ｓ７にて、コマンド解読機能を実行するプログラム３２９によってコマンドを判別する。
【００１７】
なお、携帯電話機９からのコマンドとしては、ＤＴＭＦの他、音声によっても可能になっている。例えば「居間の写真」、「子供部屋の写真」、「ガスセンサ」「ドア」「全部」という言葉を音声入力することで、音声認識機能を実行するプログラム３２６がそれを判別する。
【００１８】
続いて、Ｓ８にて、判別したコマンドを携帯電話機９に知らせて確認する。すなわち、ＤＴＭＦあるいは音声で受け取ったコマンドが正しいか確認するために、音声応答機能を実行するプログラム３２７により、例えば、「只今、居間の写真をとる命令を受け付けました。」というメッセージを通知し、さらに、「これで正しければ、＊ボタンを、間違っていれば＃ボタンを押して下さい。」あるいは「これで正しければ、“正しい”と、間違っていれば、“間違え”と言って下さい。」というメッセージを通知する。
【００１９】
続いて、Ｓ９にて、コマンドが正しいと確認されたか否かを判別し、間違っている場合には、Ｓ５に戻して、再び携帯電話機９にコマンドの実行方法を説明する。また、正しいと確認された場合は、Ｓ１０にて、携帯電話機９との通話回線を切断し、コマンドに従ってセンサデータや画像データを取得する。
【００２０】
すなわち、「居間の写真」であれば内蔵カメラ２２から画像データを取得し、「子供部屋の写真」であれば撮像装置５から画像データを取得し、「ガスセンサ」であればセンサ装置３からデータを取得し、「ドア」であればセンサ装置４からデータを取得する。このとき、画像データは画像データ格納メモリ３２１に一旦格納した後取得し、センサデータはセンサデータ格納メモリ３２２に一旦格納した後取得する。
なお、Ｓ１〜Ｓ９の一連の処理は、要求受付け手段を構成している。
【００２１】
続いて、Ｓ１１にて、電子メールを作成する（メール作成手段）。すなわち、各センサ装置３、４のセンサデータは、ｈｔｍｌ文書作成機能を実行するプログラム３３２によりテキストデータとして作成され、内蔵カメラ２２の画像データ及び撮像装置５の画像データはメールに添付され、これにより電子メールが作成される。電子メールの作成が終了すると、続いて、Ｓ１２にて、ダイヤルアップ接続機能を実行するプログラム３３０により前記設定データ格納メモリ３２３に登録されているプロバイダ８の接続情報に従ってダイヤルアップ接続する。そして、Ｓ１３にて、画像メール送信機能を実行するプログラム３３１によりプロバイダ８サーバに電子メールを送信する。前記携帯電話機９は電子メール機能付き携帯電話であり、予めその電話番号とアドレスは設定部に登録してある。従って、プロバイダ８のサーバには、前記携帯電話機９のアドレス宛ての電子メールを送信する。送信が終了すると、Ｓ１４にて、ダイヤルアップ接続を切断し、一連の処理を終了する。
【００２２】
一方、携帯電話機９においては、図４に示すように、Ｓ２１にて、公衆電話網７を経由して制御装置２に電話を掛けると、Ｓ２２にて、制御装置２からコマンド待ち状態である通知を受け、さらに、Ｓ２３にて、コマンドの実行方法の説明を受ける。Ｓ２４にて、コマンドを、ダイヤルボタンを操作して、あるいは音声により入力する。
【００２３】
この状態で、Ｓ２５にて、制御装置２から、この制御装置がコマンドを判別した結果の通知を受け、さらに、Ｓ２６にて、判別したコマンドが正しいか否かの確認のメッセージを受ける。そして、Ｓ２７にて、コマンドが正しいことを知らせる応答を行うと一連の処理を終了する。これにより制御装置２から通話回線が切断されるようになる。また、Ｓ２７にて、コマンドが間違っていることを知らせる応答を行うと、ルーチンはＳ２４のコマンド入力に戻る。
【００２４】
携帯電話機９は、制御装置２に対して正しいコマンドを送信して通話回線が切断された状態でプロバイダ８からの電子メールに待機することになる。そして、図５に示すように、Ｓ３１にて、プロバイダ８から電子メールを受信すると、Ｓ３２にて、電子メールの内容を携帯電話機９の表示部によって確認する。
【００２５】
このような構成においては、制御装置２に電話番号を予め登録した携帯電話機９から制御装置２に電話を掛けると制御装置２はそれを受け付け、続いて、携帯電話機９からのコマンドを受け付け、コマンドに従って内蔵カメラ２２、撮像装置５から居間の写真や子供部屋の写真の画像データ及びセンサ装置３、４から室内のガス漏れや玄関ドアの開閉状態のデータを取得する。
【００２６】
また、電話番号の登録されていない携帯電話機から電話があると、これに対して全く反応せず受け付けない。この場合は、電話機６が通常の応対を行い、留守であれば留守番電話機能が作動する。
これにより、電話番号の登録されていない携帯電話機によって制御装置２が動作される虞は全く無い。従って、電話番号の登録されていない携帯電話機を使用して他人が家の中の様子を見ることは不可能となり、セキュリティを十分に向上できる。
【００２７】
制御装置２は画像データやセンサデータを取得すると、それらのデータを載せた電子メールを作成し、予め登録してあるプロバイダ８にダイヤルアップ接続する。そして、予め登録されている前記携帯電話機９のアドレス宛ての電子メールを送信する。送信が終了すると、ダイヤルアップ接続を切断する。
このように、作成した電子メールを送信する期間だけプロバイダ８にダイヤルアップ接続するので、プロバイダとの接続時間を極力短くすることができ、長時間或は連続して接続状態にするものに比べてネット攻撃を受けにくくすることができ、危険性を極力回避できる。
【００２８】
プロバイダは制御装置２から電子メールが送信されると、その電子メールにあるメールアドレスに基づいて画像データやセンサデータを要求した携帯電話機９にその電子メールを送信する。こうして、携帯電話機９を所持している人は携帯電話機９の表示画面によって家の中の様子を確認することができる。
【００２９】
ところで、制御装置２における設定データ格納メモリ３２３に対する、着信を許可する複数の電話番号やダイヤルアップ接続するプロバイダの接続情報や電子メールの送信先である電子メール機能付き端末のアドレスの登録は、制御装置２おいて入力部（図示せず）からのデータ入力によって可能であるが、それとは別に外部からも登録できるようになっている。例えば、設定センタにある携帯通信端末やパーソナルコンピュータによって公衆電話網７を経由して制御装置２の初期設定ができるようになっている。この場合、制御装置２は工場出荷時のユーザ情報を入力していない時点でも設定センタからの電話のみは受け付けるように初期設定されている。
【００３０】
これにより、制御装置を購入したユーザは、自分で着信を許可する複数の電話番号やダイヤルアップ接続するプロバイダの接続情報や電子メールの送信先である電子メール機能付き端末のアドレスの登録などを含むセットアップができない場合に、設定センタに電話やＦＡＸなどでセットアップを依頼する。設定センタでは携帯通信端末やパーソナルコンピュータを使用して制御装置２にアクセスし、制御装置２のリモート設定機能を実行するプログラム３３３を起動させて電話番号やプロバイダの接続情報やアドレスの登録を含むセットアップを行う。なお、プロバイダの接続情報としては、プロバイダ名、会員番号、パスワード等がある。
【００３１】
これにより、セットアップという面倒な作業は設定センタが代わって行い、ユーザは電話線や電源線の接続という最低限の作業を行えばよい。従って、ユーザにとって面倒な作業を行うこと無く制御装置を動作できる状態にでき、サービスの向上を図ることができる。
【００３２】
なお、上述した実施の形態は、制御装置２が取得した画像データやセンサデータを電子メールとしてプロバイダのサーバに送信し、プロバイダは受信した電子メールを制御装置にコマンドを送信した携帯電話機９に送信する、というシステムについて述べたが必ずしもこれに限定するものではない。
【００３３】
例えば、契約プロバイダのホームページ領域に画像データをアップロードするようにしてもよい。なお、センサデータについてはテキストデータのみであれば電子メールとしてプロバイダに送信する。
このようにすることにより、画像を添付した電子メールの受信ができない携帯電話機には有効となる。
【００３４】
すなわち、制御装置２がセンサ装置３、４からセンサデータを取得し、内蔵カメラ２２、撮像装置５から画像データを取得したところで、制御装置２はｈｔｍｌ文書作成機能を実行するプログラム３３２により、契約プロバイダ上のホームページ領域にアップロードするためのｈｔｍｌ文書を作成する。ｈｔｍｌ文書作成機能を実行するプログラム３３２は、雛型となるようなｈｔｍｌ文書を予め用意し、取得した画像データやセンサデータを雛型の中の然るべき部分に嵌め込み、ｈｔｍｌ文書として完成させるような機能を実行する。このように、制御装置２において画像データやセンサデータをまとめてｈｔｍｌ文書としているので、プロバイダ側では何ら手を加える必要はない。
【００３５】
制御装置２は、予め登録された契約プロバイダに電話を掛け、ダイヤルアップ接続を行う。ＦＴＰ（Ｆｉｌｅ  Ｔｒａｎｓｆｅｒ  Ｐｒｏｔｏｃｏｌ）で契約プロバイダ上に作成したホームページをアップロードする。同時に、そのホームページアドレスを制御装置２にコマンドを送信した携帯電話機９に電子メールで送信する。
【００３６】
携帯電話機９は、プロバイダからの電子メールを受信し電子メールの文中にあるホームページへアクセスすることで画像データ及びセンサデータを表示部で確認することができる。このようにしても上述した実施の形態と同様の作用効果が得られるものである。
【００３７】
また、上述した実施の形態は、家の中の様子を見たい携帯電話機９から制御装置２にコマンドを送信し、その携帯電話機９の表示部で画像データ及びセンサデータを直接確認するようにしたが必ずしもこれに限定するものではない。
【００３８】
コマンドを送信する端末と画像データ及びセンサデータを受信して表示により確認する端末とが別であってもよい。すなわち、携帯電話機９から制御装置２にコマンドを送信して画像データやセンサデータを制御装置２に取得させる。制御装置２は取得した画像データやセンサデータにより電子メールを作成してプロバイダに送信するが、このとき、電子メールの送信相手として携帯電話機９とは別のＰＤＡなどの携帯通信端末やパーソナルコンピュータを指定するようにする。このときのメールアドレスは設定データ格納メモリ３２３に予め登録しておく。また、このときの電子メールの作成は送信する端末に合わせて作成する。例えば、送信相手がパーソナルコンピュータであればそれに応じた電子メールを作成する。
【００３９】
このようにすることにより、携帯電話機９を操作するユーザは、制御装置２が取得した画像データやセンサデータを表示させたい端末に表示させることができる。しかも、携帯電話機９としては電子メールを受信する必要が無いので電子メール機能が無く、また、文字情報の表示ができない携帯電話機であってもよい。すなわち、電子メール機能や文字情報の表示機能が無い携帯電話機を使用して制御装置にコマンドを送信し、制御装置からの画像データやセンサデータを電子メール機能や文字情報の表示機能付きの端末に表示させることができ、汎用性を向上できる。
【００４０】
【発明の効果】
以上詳述したように、本発明によれば、セキュリティを向上でき、しかも、プロバイダとの接続時間を極力短くしてネット攻撃による危険性を極力回避できるダイヤルアップホームサーバを提供できる。
【図面の簡単な説明】
【図１】本発明の実施の形態を示すダイヤルアップホームサーバを使用したシステム全体の構成を示す図。
【図２】同実施の形態におけるダイヤルアップホームサーバの構成を示すブロック図。
【図３】同実施の形態における制御装置の制御部による要部動作を示す流れ図。
【図４】同実施の形態における携帯電話機のコマンド送信動作を示す流れ図。
【図５】同実施の形態における携帯電話機の電子メール受信動作を示す流れ図。
【符号の説明】
１…ダイヤルアップホームサーバ
２…制御装置
３，４…センサ装置
５…撮像装置
９…携帯電話機
２１…制御部
２２…内蔵カメラ
３２３…設定データ格納メモリ
【図１】
2004193647.tif 000003
【図２】
2004193647.tif 000004
【図３】
2004193647.tif 000005
【図４】
2004193647.tif 000006
【図５】
2004193647.tif 000007